(57)【要約】      （修正有）【課題】携帯型装置としてできるだけ構造を簡易化し、各部分の分解、組立を容易なものとすると共に制作費を低額とすること、水流の増減による水面の変化に自由に対応し発電を安定化すること、水車が受ける水流の速度を増加させて発電の効率を向上されること、等を課題とする。【解決手段】風船式携帯型ピコ水力発電装置は、携帯型で現地へ可搬でき、現地で数分で組立、設置できる水力発電装置であり、風船型筒を膨らませることにより、その芯部に通した回転軸２と、風船型筒の外周に取り付けた組立式羽根車が、金物、ビスなど一切使うことなく、結合され一体化される。また水流が少ない場所でも水流増幅装置５０の対向板８，８´を水車の両側に水車の上流から見て対向板の間隔が下流に向って拡がるように設置することにより約３倍の水流に増速されて発電量が約３倍になる。【選択図】図２
2014101799.tif 000002
【特許請求の範囲】
【請求項１】
河川の水流による水車の回転を発電機に伝えて発電を起こす携帯型ピコ水力発電装置において、水車は羽根車の内側に嵌め込むことができる風船型筒を備え、前期風船型筒は内部に空気の出し入れが可能な袋状であり、中心に水車の回転軸を通す軸受孔が貫通しており、使用時には、軸受孔に回転軸が通された風船型筒が空気を十分に注入されて羽根車の内側に密接に嵌め込まれて一体化した水車を有する装置。
【請求項２】
不使用時には、前記風船型筒は空気を抜き、回転軸を外して畳むことができる、請求項１記載の装置。
【請求項３】
前記風船型筒は弾力性ある素材で作られている、請求項１記載の装置。
【請求項４】
水車の両側に設けた一対の支柱であって、支柱の下端は川底に固定され、上部は回転軸の上下動を受けることができる縦長の空間を有する、河川を利用する携帯用水力発電装置の水車の回転軸用支柱。
【請求項５】
水車の回転軸が水車の両側でＵ字アームの両端と回転可能に結合し、水車の上流で下端を川底に固定された支柱の上端と該Ｕ字アームとを棒状の取付アームの両端にそれぞれ上下に回動可能に連結した、河川を利用する携帯用水力発電装置の支持装置。
【請求項６】
水車の両側に設けた一対の対向する板であって、前記対向板は下流に向かって対向板間の間隔が拡がるように設置された、河川を利用する携帯用水力発電装置と関連して用いる水流増幅装置。
【請求項７】
前記対向板は下流に向かって外側に円弧をえがいて曲がっている、請求項６記載の水流増幅装置。
【請求項８】
相対向する各対向板の上流側の端は支柱若しくは発電機収納ボックスにねじ止めで取り付けられており上辺は水車の半分の高さまで延びている、請求項６記載の水流増幅装置。
【請求項９】
前記対向板はステンレス製である、請求項６記載の水流増幅装置。
【発明の詳細な説明】
【技術分野】
【０００１】
本発明は、水流増幅装置付風船式携帯型ピコ水力発電装置に関する。特に携帯型であり、現地に運んだ後に、数分程度で組立、設置が出来る、河川の水流を原動力とするピコ水力発電装置に関する。
【背景技術】
【０００２】
本発明の水力発電装置は、一般的な分類によれば超小型水力発電に相当するが、その中でも最大出力１kw以下の超小型水力発電の場合、最近はピコ水力発電と呼ばれる。
【０００３】
一般に、本発明の水力発電装置が属する型の装置は、河川等の水流を利用して回す水車を発電の原動力として備えている。この型の水力発電装置は、図４に示すように、水車を一定位置に保持するため地上又は川底に固定して設置する支柱と、発電機とから構成され、水車の外周面上には、複数の羽根が一定の間隔をもって並列に取り付けられている。水車の中心を横切って回転軸が固定されており、水車の回転と同期して回転する。回転軸の一端は発電機に連結され、発電機は回転軸の回転を受けて発電する。
【０００４】
従来の河川で使用する水車による水力発電装置では、水車が支柱に固定して取り付けられていたため、降雨の後などに河川の水位が上って水車が水を被り、水車の回転が阻害されるなどして、安定した発電が得られなくなるという欠点があった。また、装置を地上又は川底に固定して設置するとき、土中にコンクリートブロックを埋める等して固定する必要があり、これによって工期も長くなり、費用の負担増という問題も生じた。
【先行技術文献】
【特許文献】
【０００５】
【特許文献１】特開２００７-２０５３４２公報。水位変化があっても安全に運転する水車にするため、水車が浮動できるよう浮力ある浮子等をつけ、水車は固定せずワイヤロープで繋ぐことが示されている。
【特許文献２】特開２０１１-４３１５８公報。水車の回転を発電機に増速して伝動するため、水車の回転軸に歯数の多い歯車を取りつけ、歯数の少ない歯車を発電機につけて、両歯車をチェーンで連結することが示されている。
【非特許文献】
【０００６】
【非特許文献１】石田 正著「超小型（ピコ）水力発電装置ガイドブック」２００７年１月２５日株式会社パワー社発行。種々の超小型水力発電装置を解説。
【発明の概要】
【発明が解決しようとする課題】
【０００７】
本発明のピコ水力発電装置は、携帯型装置としてできるだけ構造を簡易化し、各部分の分解、組立を容易なものとすると共に制作費を低額とすること、水流の増減による水面の変化に自由に対応し発電を安定化すること、水車が受ける水流の速度を増加させて発電の効率を向上されること、等を課題とする。
【課題を解決するための手段】
【０００８】
ピコ水力発電装置は、水車１と、水車と固定して連結させる回転軸2と、回転軸が連結する発電機3を主たる部品として構成されるが、本発明の水車１は、外周に羽根５を取り付けた羽根車４と、その内側に嵌め込まれる風船型筒６とからなり、風船型筒６は一方の側面から他方の側面の中心を貫く軸受孔７が回転軸２を通すために設けられている。風船型筒６は、羽根車４の内側に密接に嵌め込まれるもので、弾性のある素材により、内部は空気の注入を可能とする袋状として形成される。なお、不使用時には空気を抜いて小さく畳むことができる。羽根車の環状枠も弾性のある素材で作られているので、不使用時に畳むことができる。
【０００９】
使用時において羽根車４と、あらかじめ回転軸2を軸受孔７に通した風船型筒６は、後者を前者の内側に嵌め込むように並べて空気を注入することにより、水車1は一体となって使用可能状態にされる。この際、風船型筒６が十分膨らむことが必要で、これにより羽根車と風船型筒及び風船型筒と回転軸とはそれぞれしっかり密着し、回転軸は空回りすることがない。
【００１０】
本発明のピコ水力発電装置では水流増幅装置を開発し、これは河川の水流速度を上げて発電量を増加することを目的とした。
【発明の効果】
【００１１】
本発明の発電装置の構造は簡易であり、各部分の分解、組立が容易で、とくに水車の風船型筒６は畳むことができるため、容易に運搬でき、短時間で分解、組立ができる。
【００１２】
水車の風船型筒6は空気を注入して膨らませて使用するので、水車全体が水中で浮力を受け一定の深さに維持されるため、水車は水面の上下の変化に対応して上下でき、水没することが避けられるので発電の安定に寄与する。
【００１３】
本発明の水流増幅装置により、水流速度が増加され、発電量の増加が得られる。
【図面の簡単な説明】
【００１４】
【図１】本発明の一体化した水車の斜視図。
【図２】本発明の水力発電装置の実施例1を示す斜視図。
【図３】本発明の水力発電装置の別の支持機構の実施例を示す斜視図。
【図４】従来の水車型水力発電装置の水車の一例を示す斜視図。
【実施例１】
【００１５】
本発明のピコ水力発電装置の一実施例において、水車１は、図１に示すように外周に複数の羽根５を並列に取り付けた組立式の羽根車４と、中央に水車1の回転軸２を通す軸受孔７を設けた風船型筒６とから構成される。風船型筒6は、弾性と柔軟性のある素材により、内部に空気の注入した袋状空間が形成される。上記の部品により水車１を組み立てるにあたり、あらかじめ回転軸２を軸受孔７に通した風船型筒６を羽根車４の内側に合わせた上で、風船型筒６内に空気を十分注入して膨らませると、空気圧による摩擦力が作用して、羽根車と風船型筒及び風船型筒と回転軸との接触は互いにきつく密着して固定し、互いに空回りすることなく、水車１は一体化する。
【００１６】
水車１の回転軸２は、図２のとおり水車の両側面で、相応する川底の位置で下部を地中に埋め込んだ左右2本の直立する支柱９，９´に支持される。
【００１７】
発電量が最も効率が良いと判断される場合の水車１の羽根５と河川の水面との位置関係は、水流増幅装置による測定によって示される。また、その位置関係は、水車の重量と、空気を注入して得た浮力との対比で調整することができる。この水車の水面との位置関係は、川底との固定された位置関係ではなく、水面上の浮体として維持されることにより、効率よい発電に寄与している。
【００１８】
次表は本発明の水力発電装置の実験データを示す。
【表１】
2014101799.tif 000003
【００１９】
回転軸２は回転自在に、かつ上下動自由に水車の両側方の支柱９，９´の上部１５とそれぞれ係合する。すなわち、支柱９，９´の上部に上下方向に延びる空間が設けられ、その中に回転軸２が回転と上下動を可能としながら収まる。なお、回転軸２の上下動が左右の支柱でのバランスがとれるように、左右の支柱９，９´の係合個所における回転軸を上下からスプリングで挟むように支えることも可能である。又、上下動可能な軸受ベアリングで保持することも可能である。
【００２０】
前記の回転軸２は適度の長さの軸をねじ等により追加するなどして伸縮性を持たせることも可能であり、河川の発電に適した地形に応じて回転軸２のより適切なサイズが求められる場合に便利である。
【００２１】
本発明では、水車の附近でさらに河川の水流の速度を上げて発電量を増大させるため水流増幅装置５０を開発した（図２、３）。この装置は、川の流れの上流からみて水車１の右、左側方で対向する対向板８，８´を、対向板の間の間隔が下流に向って拡がるように支柱９，９´にねじ止めして設置することで得られた。対向板の下辺は川底に近接するもので、上辺は水車の半分の高さまで延びる。
【００２２】
本実施例では、板の腐食を防ぐためにステンレス製で、高さは水車の半分で巾は水車の直径の長さで、外方に円弧をえがく対向板８，８´を用いた。実験の結果、対向板間の水流は、下流に向って水圧が開放されて水位が低くなることから、その位置で水流速度が約３倍に増加した結果、発電量も３倍に増加した。
【００２３】
回転軸２の一端は、公知の発電機に接続され、回転軸２の回転が電気に変えられる。発電機３は回転軸２に接続しているので、回転軸２が上下動するときは発電機３も同じように上下動する。したがって、発電機は、発電機側の回転軸の端部と共通の部材で支持されることが好ましい。
【実施例２】
【００２４】
水車１は実施例１と同じであるが、上下する水車全てを支える別の支持機構の実施例を以下に示す。
【００２５】
Ｕ字状に曲げた金属製パイプの両端を、それぞれ水車１の両側で回転軸２に、回転軸の回転自由に結合したＵ字アーム１０を設け、別の直線状金属製パイプ、打ち込み用パイプ１１、を用意して水車１の上流でその上端をさらに上流の方に傾けて下端部分を川底に打ち込み固定して設置した。さらに別の直線状金属製パイプ、取付アーム１２、を用意して、その一端１３はＵ字アーム１０と、そして他端１４は打ち込み用パイプ１１の上端と、それぞれ水車１の上流側で回動自由に結合されて、水車を支える支持装置とし、本発明の携帯用水力発電装置は水面の上下動に従って水面との一定の距離を維持する。
【００２６】
水流増幅装置の相対向する対向板８，８´は、それぞれその上流側の端を左右の支柱９，９´若しくは発電機収納ボックスにねじ止めされる。
【００２７】
前記の部品の結合によって、本発明の水車は、川の水位の変化に合わせ、効率の良い水面との位置関係を維持して上下し、発電効率を高めることに貢献する。
【符号の説明】
【００２８】
１  水車
２  回転軸
３  発電機
４  羽根車
５  羽根
６  風船型筒
７  軸受孔
８，８´  対向板
９，９´  支柱
１０  Ｕ字アーム
１１  打ち込み用パイプ
１２  取付アーム
１５  支柱９，９´の上部
５０  水流増幅装置
【図１】
2014101799.tif 000004
【図２】
2014101799.tif 000005
【図３】
2014101799.tif 000006
【図４】
2014101799.tif 000007